(57)【特許請求の範囲】
【請求項１】
浴室内の浴槽と洗い場に面した壁面の左右両角部にそれぞれガイドレールを取付け、両ガイドレールの上方部と下方部にスプロケットを配置して無端チェーンあるいは無端ベルトを張り、その左右の無端チェーンあるいは無端ベルトに水平な上下２本の横軸を掛け渡し、その横軸に浴槽と洗い場間を左右にスライドする座席を取付け、上端部の左右スプロケットを回転軸で連結しその軸をモーターで回転駆動することにより横軸と共に座席を上下移動する入浴補助リフトおよび入浴補助リフト付きユニットバス。
【請求項２】
座席が所定の浴槽位置と洗い場位置に位置する場合のみに座席下降が可能となるリミットスイッチを、横軸の左右に配置したことを特徴とする請求項１記載の入浴補助リフトおよび入浴補助リフト付きユニットバス。
【請求項３】
上下移動の上限を座席底面が浴槽の縁より若干高い位置とし、下限を座席が浴槽位置では座席底面が浴槽底面より若干上で、座席が洗い場位置では座席底面が洗い場面より若干上になるようガイドレールにリミットスイッチを配置したことを特徴とする請求項１または２記載の入浴補助リフトおよび入浴補助リフト付きユニットバス。
【発明の詳細な説明】
【０００１】
【発明の属する技術分野】
本発明は、入浴する者が座った座席を上昇させ、水平にスライドさせて浴槽の縁を越え、座席を下降させて浴槽の中に入れる入浴補助リフトとその入浴補助リフトを組み込んだユニットバスに関するものである。
【０００２】
【従来の技術】
従来、入浴補助リフトには、柱状昇降装置を浴室内の適所に立設し、入浴する者が座わる座席を吊下げた腕を昇降装置上端部から水平に伸ばし、上昇させて洗い場と浴槽とに回動して降下させる装置がある。また浴室と洗い場に面した壁面に左右スライドレールを２本固定し、そのレールに昇降装置を左右スライド可能に取付け、昇降装置に入浴者が座る座席を接続した装置もある。
【０００３】
しかし前者の装置は柱状昇降装置を浴室内に立設する場合にその固定方法が難しく特にユニットバスの場合には天井部は強度が弱く周囲の壁面に突っ張って装置の上端部を固定する方法が多く見られる。また後者の装置は壁面にレールを固定するので上記問題は解決できるが狭いタイプのユニットバスにおいては座席を折畳み式にしても昇降装置の厚さと座席の厚さが重なって入浴補助装置を使わない場合に非常に圧迫感があるという問題が発生する。
【０００４】
【発明が解決しようとする課題】
本発明は、狭いユニットバスにおいても出来る限り省スペースで設置でき入浴者に圧迫感を与えず、壁面に堅固に取り付けが出来る入浴補助リフトおよびユニットバスを提供すること。
【０００５】
【課題を解決するための手段】
前記課題を解決するため、請求項１の発明は、浴室内の浴槽と洗い場に面した壁面の左右両角部にそれぞれガイドレールを取付け、両ガイドレールの上方部と下方部にスプロケットを配置して無端チェーンあるいは無端ベルトを張り、その左右の無端チェーンあるいは無端ベルトに水平な上下２本の横軸を掛け渡し、その横軸に浴槽と洗い場間を左右にスライドする座席を取付け、上方部の左右スプロケットを回転軸で連結しその軸をモーターで回転駆動することにより横軸と共に座席を上下移動する入浴補助リフトとした。
【０００６】
このように構成することにより、昇降駆動部やガイドレールは壁面の角部や天井または天井裏に配置することができ、入浴補助リフトを使用しないで入浴する場合でも浴室内が狭く感じることを極力抑えることができる。また壁面角部の２面に対して固定できるので、強度の強くないユニットバスの壁面でもしっかりと固定できる。
【０００７】
請求項２の発明は、座席が所定の浴槽位置と洗い場位置に位置する場合のみに座席下降が可能となるリミットスイッチを、横軸の左右に配置したので、下降中に座席底面が浴槽縁に当たって入浴者が座席から落ちるというような問題を防止できる。
【０００８】
請求項３の発明は、上下移動の上限を座席底面が浴槽の縁より若干高い位置とし、下限を座席が浴槽位置では座席底面が浴槽底面より若干上で、座席が洗い場位置では座席底面が洗い場面より若干上になるようガイドレールにリミットスイッチを配置した。このように設定することで上昇しても座席に座った人が不安を感じることが無く、また座席底面が浴槽や洗い場底壁に当たって座席に座った人が衝撃を受けることが無い。
【０００９】
【発明の実施の形態】
本発明の実施の形態を図面を参照して説明する。
図１は、ユニットバスの浴室内に本発明の入浴補助リフトを取付けた状態を示す図面である。ユニットバスの浴槽Ｙと洗い場Ｓに面した壁面Ａの左右両角部にガイドレール１をそれぞれ取付け、両ガイドレール１、１の上方部と下方部にスプロケット２を配置して無端チェーン３を張り、その左右の無端チェーン３に水平な上下２本の横軸４、４を掛け渡し、その横軸４、４に浴槽Ｙと洗い場Ｓ間を左右にスライドする座席５を座席支持部６を介して取り付け、上方の左右スプロケット２、２を回転軸７で連結しモーター８で回転駆動することにより横軸４、４と共に座席５に座った人を上下移動し、かつ手動で左右へスライドする入浴補助リフトである。
【００１０】
また横軸４には右限リミットスイッチ４２と左限リミットスイッチ４３を設置しており、右ガイドレール１には上限リミットスイッチ１６と第一下限リミットスイッチ１７と第二下限リミットスイッチ１８を設置している。
【００１１】
図２は入浴補助リフト部の縦断面図である。ユニットバスの壁面Ａの角部に取付けたガイドレール１の上方部と下方部にスプロケット２を配置し無端チェーン３を張り、その無端チェーン３の適所にスライド金具１２を介して横軸４、４を上下水平に取付け、その横軸に座席支持部６を介して座席５を取り付けている。上方の左右のスプロケット２を回転軸で連結しモーター８で回転駆動することにより座席を上下移動する。座席は折畳みが可能である。（図示省略）
【００１２】
図３は、壁面Ａと壁面Ｃの角部にボルトで取付けたガイドレール１部分を示した断面図である。ガイドレール１内の前後にガイドシュー１１を取付け、横軸４の端部から細軸４１を延長しその先端に取付けたスライド金具１２を前記ガイドシュー１１の間に配置して、そのスライド金具１２に無端チェーン３の一方を固定している。ガイドレール１の開口部にはカバー材１３、１４を取付け、さらにカバー材１３、１４にそれぞれゴムカバー１５を設けてガイドレール１内に水や水蒸気が入らないようにしている。またガイドレール１の上下適所に上下リミットスイッチ１６、１７、１８を設けて座席の上限下限を設定している。
【００１３】
図４は、座席５の移動状態を示した図である。上下動はモーター駆動により、左右スライドは手動により移動する。座席５はＮ位置にあるときに、右限リミットスイッチ４２が働くことにより上限リミットスイッチ１６と第一下限リミットスイッチ１７が有効となり、座席底面が上限Ｈ１から第一下限Ｈ２までの間で上下動が可能となる。
【００１４】
また座席５はＭ位置にあるときに、左限リミットスイッチ４３が働くことにより上限リミットスイッチ１６と第二下限リミットスイッチ１８が有効となり、座席底面が上限Ｈ１から第二下限Ｈ３までの間で上下動が可能となる。座席がＭまたはＮ位置以外にあるときは、左限リミットスイッチ４３および右限リミットスイッチ４２が働かず座席の下降移動はできない設定としている。
【００１５】
【発明の効果】
ガイドレールを壁面の角部に配置することにより、小さなユニットバスでも浴室内が狭く感じることを極力抑えることができる。またモーター駆動部を天井裏に配置することもでき、一層浴室内を広くすることができ、座席を折畳み式にすることで入浴補助リフトを使用しないで入浴する場合でも極力邪魔にならない。またガイドレールは壁面角部の２面に対して固定できるので、強度の強くないユニットバスの壁面でもしっかりと固定できる。
【００１６】
座席が所定の浴槽位置と洗い場位置に位置する場合のみに座席の下降移動が可能となるリミットスイッチを、横軸の左右に配置したので、下降中に座席底面が浴槽縁に当たって入浴者が座席から落ちるというような問題を防止できる。
座席の上限位置を浴槽の縁を越える最小限の高さとしたので上昇しても座席に座った人が不安を感じることが無く、また降下する場合、下限位置を設けて座席底面が浴槽や洗い場底壁に当たって座席に座った人が衝撃を受けることが無い。
【図面の簡単な説明】
【図１】浴室内に本発明の入浴補助リフトを取付けた状態を示す図面
【図２】入浴補助リフト部の縦断面図
【図３】ガイドレール部分を示した断面図
【図４】座席５の移動状態を示した図
【符号の説明】
Ｙ…浴槽
Ｓ…洗い場
１…ガイドレール
３…無端チェーン
４…横軸
５…座席
６…座席支持部
【図１】
0003587808.tif 000002
【図２】
0003587808.tif 000003
【図３】
0003587808.tif 000004
【図４】
0003587808.tif 000005